(57)【要約】【課題】本発明の目的は、中栓を装着したＰＥＴ製保管容器本体に揮散液を収容した保管容器入り揮散液において、当該ＰＥＴ製保管容器本体の脆化を抑制する技術を提供することである。【解決手段】(A)揮散性薬剤と、(B)パラフィン系炭化水素、炭素数１〜５の１価アルコール、プロピレングリコールモノアルキル（炭素数１〜３）エーテル、及びトリプロピレングリコールモノアルキル（炭素数１〜４）エーテルよりなる群から選択される少なくとも１種を含む揮散液は、中栓を装着したＰＥＴ製保管容器に収容しても、当該ＰＥＴ製保管容器の脆化を抑制できる。【選択図】なし【特許請求の範囲】
【請求項１】
揮散液が保管容器に収容されている、保管容器入り揮散液であって、
前記揮散液が、
(A)揮散性薬剤と、
(B)パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤
を含み、
前記保管容器が、
口部を有するポリエチレンテレフタレート製容器本体と、
前記口部に装着された中栓とを
有する、
保管容器入り揮散液。
【請求項２】
前記(A)成分が香料である、請求項１に記載の保管容器入り揮散液。
【請求項３】
前記(B)成分が、パラフィン系炭化水素、エタノール、プロピレングリコールモノメチルエーテル、及びトリプロピレングリコールモノブチルエーテルよりなる群から選択される少なくとも１種である、請求項１又は２に記載の保管容器入り揮散液。
【請求項４】
前記(B)成分が、(B-1)パラフィン系炭化水素と、(B-2)炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種とを含む、請求項１又は２に記載の保管容器入り揮散液。
【請求項５】
前記中栓が、ポリエチレンテレフタレート製容器本体の口部の内側面及び／又は外側面と対向する部分の内周面及び／又は外周面に突出部を有し、
前記突出部が、ポリエチレンテレフタレート製容器本体の口部の内側面及び／又は外側面の少なくとも一部に接触して固定されている、請求項１〜４のいずれかに記載の保管容器入り揮散液。
【請求項６】
ポリエチレンテレフタレート製容器本体の口部の内側面及び／又は外側面の少なくとも一部と中栓の一部が線接触により固定されている、請求項１〜５のいずれかに記載の保管容器入り揮散液。
【請求項７】
前記中栓が注出口を有する、請求項１〜６のいずれかに記載の保管容器入り揮散液。
【請求項８】
口部を有するポリエチレンテレフタレート製容器本体と、前記口部に装着された中栓とを有する保管容器において、揮散液を収容した際の前記ポリエチレンテレフタレート製容器本体の脆化を抑制する方法であって、
(A)揮散性薬剤と、(B)パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤とを含む揮散液を、前記保管容器に収容する、
ポリエチレンテレフタレート製容器本体の脆化抑制方法。
【発明の詳細な説明】
【技術分野】
【０００１】
本発明は、注出口を有する中栓を装着したポリエチレンテレフタレート（ＰＥＴ）製保管容器本体に揮散液を収容してなる保管容器入り揮散液に関する。より具体的には、本発明は、注出口を有する中栓を装着したＰＥＴ製容器本体に揮散液が収容されており、当該ＰＥＴ製容器本体の脆化を抑制できる保管容器入り揮散液に関する。
【背景技術】
【０００２】
従来、室内、自動車等の空間に、芳香を付与したり、飛翔害虫を忌避したりするために、香料や害虫忌避剤等の揮散性薬剤を配合した揮散液が広く使用されている。汎用されている揮散性薬剤は油性であるため、一般的な揮散液では基剤や溶解補助剤として親油性溶剤が配合されている（特許文献１及び２参照）。
【０００３】
また、揮散液は、その揮散性を高めるために、植物素材や不織布等の揮散部材に含浸させた状態で揮散されるように設計された揮散器に収容して使用されている。近年、揮散器には、揮散性薬剤の効果発現のみならず、室内空間を彩るためのインテリア性を高め、優れた意匠効果を与えることが重視される傾向にあり、インテリア性を高めたガラス製容器を使用することが一般的になりつつある。
【０００４】
一方、ガラス製容器の口部は、簡便な手法で密封することが困難であるため、ガラス製容器を使用した揮散器では、揮散液を予めガラス製容器とは別の保管容器に収容した状態で、ガラス製容器や揮散部材と共に提供され、消費者が使用時に、揮散液を保管容器からガラス製容器に移し替えるように設定されている。このような保管容器としては、従来、ポリプロピレン製の容器やパウチ包装袋等が使用されている。しかしながら、ポリプロピレン製の容器は、透明性に劣るという欠点がある。また、パウチ包装袋では、ガラス製容器への移し替えが困難である、内部視認性がない等の欠点がある。
【０００５】
このように、揮散液を収容する保管容器については、美観やガラス製容器への移し替え容易性等の点で、改善の余地がある。
【先行技術文献】
【特許文献】
【０００６】
【特許文献１】特開２００６−８７５１２号公報
【特許文献２】特開平１１−１６９４４７号公報
【発明の概要】
【発明が解決しようとする課題】
【０００７】
本発明者等は、揮散液を収容する保管容器の素材について、優れた透明性を備えさせるためにＰＥＴを採用し、更に、収容した揮散液を移し替え易くしたり、液漏れ防止効果を高めたりするために保管容器の口部に中栓を装着させることを想到した。そこで、本発明者等は、中栓を装着したＰＥＴ製保管容器本体について、実用化の検証を行った。その結果、意外なことに、親油性溶剤として一般的に使用されているトリプロピレングリコールメチルエーテルやジプロピレングリコールメチルエーテルを含む揮散液を、中栓を装着したＰＥＴ製保管容器に収容して保管すると、ＰＥＴ製保管容器本体の口部（中栓を装着している箇所）にクレーズ（白い変色）やクラック（割れ）等の脆化が生じるという新たな課題に直面した。このようなＰＥＴ製保管容器本体の脆化は、液漏れに繋がるため、揮散液の保管容器として実用化する上で解決しなければならない課題である。
【０００８】
そこで、本発明の目的は、中栓を装着したＰＥＴ製保管容器本体に揮散液を収容した保管容器入り揮散液において、当該ＰＥＴ製保管容器本体の脆化を抑制する技術を提供することである。
【課題を解決するための手段】
【０００９】
本発明者等は、前記課題を解決すべく鋭意検討を行ったところ、揮散液に含まれる親油性溶剤の相性によってはＰＥＴ製保管容器を脆化させることがあり、更にＰＥＴ製保管容器の口部が中栓の装着によって圧力が付加されることによって当該口部が特に脆化され易くなっていることを突き止めた。そして、本発明者等は、(A)揮散性薬剤と、(B)パラフィン系炭化水素、炭素数１〜５の１価アルコール、プロピレングリコールモノアルキル（炭素数１〜３）エーテル、及びトリプロピレングリコールモノアルキル（炭素数１〜４）エーテルよりなる群から選択される少なくとも１種を含む揮散液は中栓を装着したＰＥＴ製保管容器に収容しても、当該ＰＥＴ製保管容器の脆化を抑制できることを見出した。本発明は、これらの知見に基づいて、更に検討を重ねることにより完成したものである。
【００１０】
即ち、本発明は、下記に掲げる態様の発明を提供する。
項１．  揮散液が保管容器に収容されている、保管容器入り揮散液であって、
前記揮散液が、
(A)揮散性薬剤と、
(B)パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤
を含み、
前記保管容器が、
口部を有するポリエチレンテレフタレート製容器本体と、
前記口部に装着された中栓とを
有する、
保管容器入り揮散液。
項２．  前記(A)成分が香料である、項１に記載の保管容器入り揮散液。
項３．  前記(B)成分が、パラフィン系炭化水素、エタノール、プロピレングリコールモノメチルエーテル、及びトリプロピレングリコールモノブチルエーテルよりなる群から選択される少なくとも１種である、項１又は２に記載の保管容器入り揮散液。
項４．  前記(B)成分が、(B-1)パラフィン系炭化水素と、(B-2)炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種とを含む、項１又は２に記載の保管容器入り揮散液。
項５．  前記中栓が、ポリエチレンテレフタレート製容器本体の口部の内側面及び／又は外側面と対向する部分の内周面及び／又は外周面に突出部を有し、
前記突出部が、ポリエチレンテレフタレート製容器本体の口部の内側面及び／又は外側面の少なくとも一部に接触して固定されている、項１〜４のいずれかに記載の保管容器入り揮散液。
項６．  ポリエチレンテレフタレート製容器本体の口部の内側面及び／又は外側面の少なくとも一部と中栓の一部が線接触により固定されている、項１〜５のいずれかに記載の保管容器入り揮散液。
項７．  前記中栓が注出口を有する、項１〜６のいずれかに記載の保管容器入り揮散液。
項８．  口部を有するポリエチレンテレフタレート製容器本体と、前記口部に装着された中栓とを有する保管容器において、揮散液を収容した際の前記ポリエチレンテレフタレート製容器本体の脆化を抑制する方法であって、
(A)揮散性薬剤と、(B)パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤とを含む揮散液を、前記保管容器に収容する、
ポリエチレンテレフタレート製容器本体の脆化抑制方法。
【発明の効果】
【００１１】
本発明の保管容器入り揮散液によれば、中栓を装着したＰＥＴ製容器本体に揮散液を収容していても、当該ＰＥＴ製容器本体の脆化を抑制できるので、液漏れ等の発生を抑制することができる。また、本発明の保管容器入り揮散液は、保管容器の容器本体がＰＥＴ製であるため、優れた透明性を備えさせることができる。更に、本発明の保管容器入り揮散液において、注出口を有する中栓を使用する場合には、収容された揮散液を注ぎ出し易くなるので、優れた使用簡便性を備えさせることもできる。
【発明を実施するための形態】
【００１２】
１．保管容器入り揮散液
本発明の保管容器入り揮散液は、揮散液が保管容器に収容されており、当該揮散液が、(A)揮散性薬剤と、(B)パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤を含み、且つ、当該保管容器が、口部を有するＰＥＴ製容器本体と、前記開口部に装着された中栓とを有することを特徴とする。以下、本発明の保管容器入り揮散液について詳述する。
【００１３】
・揮散液
［(A)揮散性薬剤］
本発明で使用される揮散液には、揮散させる空間に所望の機能を付与するために、揮散性薬剤（以下、(A)成分と表記することもある）が含まれる。
【００１４】
本発明で使用される揮散性薬剤の種類については、室温で揮散可能であることを限度として特に制限されず、揮散された空間に備えさせるべき機能に応じて適宜選定すればよい。揮散性薬剤は、油性成分であり、具体的には、香料、害虫忌避剤成分、消臭剤成分、殺虫剤成分、抗菌剤成分等が挙げられる。
【００１５】
香料としては、天然香料、天然香料から分離された単品香料、合成された単品香料、及びこれらの調合香料のいずれであってもよく、従来公知の香料を使用することができる。具体的には、単品香料として、リモネン、カリオフィレン、ピネン、ミルセン、ターピノレン、オシメン、ターピネン、フェランドレン、ｐ−サイメン、カリオフィレン、ファルネセン、１，３，５−ウンデカトリエン、ジフェニルメタン等の炭化水素系香料；シス−３−ヘキセノール、リナロール、ゲラニオール、フェニルエチルアルコール、トランス−２−ヘキセノール、シス−３−ヘキセノール、３−オクタノール、１−オクテン−３−オール、２、６−ジメチル−２−ヘプタノール、９−デセノール、４−メチル−３−デセン−５−オール、１０−ウンデセノール、トランス−２−シス−６−ノナジエタノール、リナロール、ゲラニオール、ネロール、シトロネロール、ロジノール、ミルセノール、ラバンジュロール、テオラヒドロゲラニオール、テトラヒドロリナロール、ヒドロキシシトロネロール、ジヒドロミルセノール、アロオキシメノール、ターピネオール、α−ターピネオール、ターピネン−４−オール、メントール、ボルネオール、イソプレゴール、ノポール、ファルネソール、ネロリドール、セドロール、パチュリアルコール、ベチベロール、２，４−ジメチル−３−シクロヘキセン−１−メタノール、４−イソプロピルシクロヘキサノール、４−イソプロピルシクロヘキサンメタノール、１−（４−イソプロピルシクロヘキシル）−エタノール、２，２−ジメチル−３−（３−メチルフェニル）−プロパノール、ｐ−ｔ−ブチルシクロヘキサノール、ｏ−ｔ−ブチルシクロヘキサノール、アンブリノール、１−（２−ｔ−ブチルシクロヘキシルオキシ）−２−ブタノール、ペンタメチルシクロヘキシルプロパノール、１−（２，２，６−トリメチルシクロヘキシル）−３−ヘキサノール、ベンジルアルコール、フェニルエチルアルコール、フェノキシエチルアルコール、スチラリルアルコール、アニスアルコール、シンナミックアルコール、フェニルプロピルアルコール、ジメチルベンジルカルビノール、ジメチルフェニルエチルカルビノール、フェニルエチルメチルエチルカルビノール、３−メチル−５−フェニルペンタノール、チモール、カルバクロール、オルシノールモノメチルエーテル、オイゲノール、イソオイゲノール、プロペニルグアエトール、サンタロール、イソボルニルシクロヘキサノール、サンダロア、バグダノール、サンダルマイソルコア、ブラマノール、エバノール、ポリサントール、３，７−ジメチル−７−メトキシオクタン−２−オール等のアルコール系香料；ジフェニルオキシド、ｐ−クレジルエチルエーテル、ｄｌ−ローズオキシド、（ネロールオキサイド、ミロキサイド、１，８−シネオール、ローズオキサイド、リメトール、メントフラン、リナロールオキサイド、ブチルジメチルジヒドロキシピラン、アセトキシアミルテトラヒドロピラン、セドリルメチルエーテル、メトキシシクロドデカン、１−メチル−１−メトキシシクロドデカン、エトキシメチルシクロドデシルエーテル、トリクロデセニルメチルエーテル、ルボフィックス、セドロキサイド、アンブロキサン、グリサルバ、ボワジリ���、アニソール、ジメチルハイドロキノン、パラクレジルメチルエーテル、アセトアニソール、アネトール、ジヒドロアネトール、エストラゴール、ジフェニルオキサイド、メチルオイゲノール、フェニルエチルイソアミルエーテル、β−ナフチルメチルエーテル、β−ナフチルイソブチルエーテル）等のエーテル系香料；ヘキサナール、シトラール、ヘキシルシンナミックアルデヒド、ヘキシルアルデヒド、オクチルアルデヒド、ノニルアルデヒド、デシルアルデヒド、ウンデシルアルデヒド、ドデシルアルデヒド、トリデシルアルデヒド、トリメチルヘキシルアルデヒド、メチルオクチルアセチルアルデヒド、メチルノニルアセトアルデヒド、トランス−２−ヘキセナール、シス−４−ヘプテナール、２，６−ノナジエナール、シス−４−デセナール、トランス−４−デセナール、ウンデシレンアルデヒド、トランス−２−ドデセナール、トリメチルウンデセナール、２，６，１０−トリメチル−５，９−ウンデカジエナール、シトロネラール、ヒドロキシシトロネラール、ペリラルデヒド、メトキシジヒドロシトロネラール、シトロネリルオキシアセトアルデヒド、２，４−ジメチル−３−シクロヘキセニルカルボキシアルデヒド、イソシクロシトラール、センテナール、マイラックアルデヒド、リラール、ベルンアルデヒド、デュピカール、マセアール、ボロナール、セトナール、ベンズアルデヒド、フェニルアセトアルデヒド、フェニルプロピルアルデヒド、シンナミックアルデヒド、α−アミルシンナミックアルデヒド、α−ヘキシルシンナミックアルデヒド、ヒドロトロピックアルデヒド、アニスアルデヒド、ｐ−メチルフェニルアセトアルデヒド、クミンアルデヒド、シクラメンアルデヒド、３−（ｐ−ｔ−ブチルフェニル）−プロピルアルデヒド、ｐ−エチル−２，２−ジメチルヒドロシンナムアルデヒド、２−メチル−３−（ｐ−メトキシフェニル）−プロピルアルデヒド、ｐ−ｔ−ブチル−α−メチルヒドロシンナミックアルデヒド、サリチルアルデヒド、ヘリオトロピン、ヘリオナール、バニリン、エチルバニリン、メチルバニリン等のアルデヒド系香料；オクチルアルデヒドグリコールアセタール、アセトアルデヒドエチルシス−３−ヘキセニルアセタール、シトラールジメチルアセタール、シトラールジエチルアセタール、アセトアルデヒドエチルリナリルアセタール、アセトアルデヒドエチルリナリルアセタール、ヒドロキシシトロネラールジメチルアセタール、フェニルアセトアルデヒドジメチルアセタール、ヒドラトロピックアルデヒドジメチルアセタール、フェニルアセトアルデヒドヒドグリセリルアセタール、アセトアルデヒドエチルフェニルアセタール、アセトアルデヒドフェニルエチルプロピルアセタール、フェニルプロピルアルデヒドプロピレングリコールアセタール、４，４，６−トリメチル−２−ベンジル−１，３−ジオキサン、２，４，６−トリメチル−２−フェニル−１，３−ジオキサン、２−ブチル−４，４，６−トリメチル−１，３−ジオキサン、テトラヒドロインデノ−ｍ−ジオキシン、ジメチルテトラヒドロインデノ−ｍ−ジオキシン、カラナール等のアセタール系香料；エチルブチレート、スチラリルアセテート、ｏ−ｔ−ブチルシクロへキシルアセテート、蟻酸エチル、蟻酸シス−３−ヘキセニル、蟻酸リナリル、蟻酸シトロネリル、蟻酸ゲラニル、蟻酸ベンジル、蟻酸フェニルエチル、酢酸エチル、酢酸ブチル、酢酸イソアミル、シクロペンチリデン酢酸メチル、酢酸ヘキシル、酢酸シス−３−ヘキセニル、酢酸トランス−３−ヘキセニル、酢酸イソノニル、酢酸シトロネリル、酢酸ラバンジュリル、酢酸ゲラニル、酢酸リナリル、酢酸ミルセニル、酢酸ターピニル、酢酸メンチル、酢酸メンタニル、酢酸ノピル、酢酸ｎ−ボルニル、酢酸イソボルニル、酢酸ｐ−ｔ−ブチルシクロヘキシル、酢酸ｏ−ｔ−ブチルシクロヘキシル、酢酸トリシクロデセニル、酢酸２，４−ジメチル−３−シクロヘキセン−１−メタニル、酢酸ベンジル、酢酸フェニルエチル、酢酸スチラリル、酢酸シンナミル、酢酸アニシル、酢酸パラクレジル、酢酸ヘリオトロピル、アセチルオイゲノール、アセチルイソオイゲノール、酢酸グアイル、酢酸セドリル、酢酸ベチベリル、酢酸デカヒドロβナフチル、プロピオン酸エチル、プロピオン酸イソアミル、プロピオン酸シロネリル、プロピオン酸シロネリル、プロピオン酸ゲラニル、プロピオン酸リナリル、プロピオン酸ターピニル、プロピオン酸ベンジル、プロピオン酸シンアミル、シクロヘキシルプロピオン酸アリル、プロピオン酸トリシクロデセニル、酪酸エチル、２−メチル酪酸エチル、酪酸ブチル、酪酸イソアミル、酪酸ヘキシル、酪酸リナリル、酪酸ゲラニル、酪酸シトロネリル、酪酸ベンジル、イソ酪酸シス−３−ヘキセニル、イソ酪酸シトロネリル、イソ酪酸ゲラニル、イソ酪酸リナリル、イソ酪酸ベンジル、イソ酪酸フェニルエチル、イソ酪酸フェノキシエチル、イソ酪酸トリシクロデセニル、吉草酸エチル、吉草酸プロピル、イソ吉草酸シトロネリル、イソ吉草酸ゲラニル、イソ吉草酸シンアミル、イソ吉草酸ベンジル、イソ吉草酸フェニルエチル、カプロン酸エチル、カプロン酸アリル、エナント酸エチル、エナント酸アリル、カプリン酸エチル、チグリン酸シトロネリル、オクチンカルンボン酸メチル、２−ペンチロキシグリコール酸アリル、シス−３−ヘキセニルメチルカーボネート、ケト酸エチル、ピルビン酸イソアミル、アセト酸エチル、レブリン酸エチル、安息香酸メチル、安息香酸エチル、安息香酸イソブチル、安息香酸イソアミル、安息香酸ゲラニル、安息香酸リナリル、安息香酸ベンジル、安息香酸フェニルエチル、安息香酸フェニルエチル、ジヒドロキシメチル安息香酸メチル、フェニル酢酸メチル、フェニル酢酸メチル、フェニル酢酸エチル、フェニル酢酸イソブチル、フェニル酢酸イソアミル、フェニル酢酸ゲラニル、フェニル酢酸ベンジル、フェニル酢酸フェニルエチル、フェニル酢酸ｐ−クレジル、桂皮酸メチル、桂皮酸エチル、桂皮酸ベンジル、桂皮酸シンアミル、桂皮酸フェニルエチル、サリチル酸メチル、サリチル酸エチル、サリチル酸イソブチル、サリチル酸イソアミル、サリチル酸ヘキシル、サリチル酸シス−３−ヘキセニル、サリチル酸ベンジル、サリチル酸フェニルエチル、アニス酸メチル、アニス酸エチル、アンスラニル酸メチル、アンスラニル酸エチル、メチルアンスラニル酸メチル、ジャスモン酸メチル、ジヒドロジャスモン酸メチル、メチルフェミルグリシド酸エチル、フェニルグリシド酸エチル���グリコメル、フラクトン、フレイストン、フルテート、ジベスコン、エチル２−メチル−６−ペンチル−４−オキサ−２−シクロヘキセンカーボネート等のエステル系香料；２−オクタノン、δ−ダマスコン、アセトイン、ジアセチル、ミチルアミルケトン、エチルアミルケトン、メチルヘキシルケトン、メチルノニルケトン、メチルヘプテノン、コアボン、カンファー、カルボン、メントン、ｄ−プレゴン、ピペリトン、フェンチョン、ゲラニルアセトン、セドリルメチルケトン、ヌートカトン、イオノン、α−イオノン、β−イオノン、メチルイオノン、α−ｎ−メチルイオノン、β−ｎ−メチルイオノン、α−イソイオノン、β−イソイオノン、アリルイオノン、イロン、α−イロン、β−イロン、γ−イロン、ダマスコン、α−ダマスコン、β−ダマスコン、δ−ダマスコン、ダマセノン、ダイナスコン、α−ダイナスコン、β−ダイナスコン、マルトール、エチルマルトール、２，５−ジメチル−４−ヒドロキシフランノン、シュガーラクトン、ｐ−ｔ−ブチルシクロヘキサノン、アミルシクロペンタノン、ヘプチルシクロペンタノン、ジヒドロジャスモン、シスージャスモン、フロレックス、プリカトン、４−シクロヘキシル−４−メチル−２−ペンタノン、ｐ−メンテン−６−イルプロパノン、２，２，５−トリメチル−５−ペンチルシクロペンタノン、エトキシビニルテトラシクロヘキサノン、ジヒドロペンタメチルインダノン、イソ・イー・スーパー、トリモフィックス、アセトフェノン、ｐ−メチルアセトフェノン、ベンジルアセトン、カローン、
ラズベリーケトン、アニシルアセトン、４−（４−ヒドロキシ−３−メトキシフェニル）−２−ブタノン、メチルナフチルケトン、４−フェニル−４−メチル−２−ペンタノン、ベンゾフェノン等のケトン系香料；ゲラニル酸、シトロネリル酸、安息香酸、フェニル酢酸、フェニルプロピオン酸、桂皮酸、２−メチル−２−ペンテノ酸等のカルボン酸系香料；γ−オクタラクトン、γーノナラクトン、γ−デカラクトン、γ−ウンデカラクトン、δ−デカラクトン、クマリン、ジヒドロクマリン、ジャスモラクトン、ジャスミンラクトン等のラクトン系香料；ムスコン、シベトン、シクロペンタデカノン、シクロヘキサデセノン、シクロペンタデカノリド、１２−ケトシクロペンタデカノリド、シクロヘキサデカノリド、シクロヘキサデセノリド、１２−オキサ−１６−ヘキサデカノリド、１１−ヘキサ−１６−ヘキサデカノリド、１０−オキサ−１６−ヘキサデカノリド、エチレンブラシレート、エチレンドデカンジオエート、ムスクケトン、ムスクキシロール、ムスクアンブレット、ムスクチベテン、ムスクモスケン、６−アセチルヘキサメチルインダン、４−アセチルジメチル−ｔ−ブチルインダン、５−アセチルテトラメチルイソプロプルインダン、６−アセチルヘキサテトラリン、ヘキサメチルヘキサヒドロシクロペンタンベンゾピラン等のムスク系香料；アセチルピロール、インドール、スカトール、インドレン、２−アセチルピリジン、マリティマ、６−メチルキノリン、６−イソプロピルキノリン、イソブチルキノリン、２−アセチルピラジン、２，３−ジメチルピラジン、２−イソプロピル−３−メトキシピラジン、２−イソブチル−３−メトキシピラジン、２−セカンダリーブチル−３−メトキシピラジン、トリメチルピラジン、５−メチル−３−ヘプタンオキシム等の窒素含有香料；ゲラニルニトリル、シトロネリルニトリル、５−フェニル−２，６−ノナジエンニトリル、シナモンニトリル、クミンニトリル、ドデカンニトリル、トリデセン−２−ニトリルと等のニトリル系香料；ジメチルスルフィド、２−メチル−４−プロピル−１，３−オキサチアン、イソオシアン酸アリル、ｐ−メンタン−８−チオール−３−オン、ｐ−メンテン−８−チオール、ｐ−メンチルチオプロピオン酸メチル等の硫黄含有香料等が例示される。また、天然香料としては、チュベローズ油、ムスクチンキ、カストリウムチンキ、シベットチンキ、アンバーグリスチンキ、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、ワニラ豆チンキ、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレ��プフルーツ油、ゆず油、シナモン油、レモンユーカリ油、ホワイトタイム油、樟脳油等が挙げられる。これらの香料は、１種単独で使用してもよく、また２種以上を任意に組み合わせて調香して使用することもできる。
【００１６】
害虫忌避剤成分としては、飛翔昆虫（蚊、ユスリカ、蚋、ハエ等）、ゴキブリ、ダニ等の害虫を忌避できるものであればよいが、例えば、前述する忌避作用を有する香料の他、ピレスロイド系化合物、ナフタレン系化合物、パラジクロロベンゼン系化合物、樟脳、Ｎ，Ｎ−ジエチル−ｍ−トルアミド、ジメチルフタレート、ジブチルフタレート、ｐ−メンタン−３，８−ジオール、２−エチル−１，３−ヘキサンジオール、ジ−ｎ−プロピルイソシンコメロネート、ｐ−ジクロロベンゼン、ジ−ｎ−ブチルサクシネート、カラン−３，４−ジオール、１−メチルプロピル−２−（２−ヒドロキシエチル）−１−ピペリジンカルボキシレート、イソチオシアン酸アリル、植物抽出物（カラシ、ワサビ等）、木酢液等が挙げられる。これらの害虫忌避剤成分は、１種単独で使用してもよく、また２種以上を任意に組み合わせて使用してもよい。
【００１７】
消臭剤成分としては、例えば、安定化二酸化塩素；アルデヒド化合物；グリコールエーテル化合物；フィトンチッド系香料；低級脂肪族アルデヒド系香料等が挙げられる。
これらの消臭剤成分は、１種単独で使用してもよく、また２種以上を任意に組み合わせて使用してもよい。
【００１８】
殺虫剤成分としては、例えば、ヒノキチオール、ヒバ油、アリルイソチオシアネート、プロピレングリコールモノメチルエーテル、エタノール、プロパノール、１，８―シネオール等が挙げられる。これらの防虫剤成分は、１種単独で使用してもよく、また２種以上を任意に組み合わせて使用してもよい。
【００１９】
抗菌剤成分としては、例えば、アリルイソチオシアネート、プロピレングリコールモノメチルエーテル、プロピレングリコールモノプロピルエーテル等が挙げられる。これらの抗菌剤成分は、１種単独で使用してもよく、また２種以上を任意に組み合わせて使用してもよい。
【００２０】
これらの揮散性薬剤は、１種単独で使用してもよく、また２種以上を組み合わせて使用してもよい。なかでも、揮散性薬剤としては、好ましくは香料が挙げられる。
【００２１】
本発明で使用する揮散液における(A)成分の含有量については、揮散性薬剤の種類、揮散させる空間に備えさせるべき効果の程度等に応じて適宜設定すればよいが、例えば２．５〜４０重量％、好ましくは５〜３０重量％、更に好ましくは７．５〜２０重量％が挙げられる。
【００２２】
［(B)溶剤］
本発明で使用される揮散液には、パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤（以下、(B)成分と表記することもある）が含まれる。このような特定の溶剤を選択して使用することによって、前記揮散性薬剤を溶解させると共に、保管容器として使用するＰＥＴ製容器本体の脆化を抑制することが可能になる。
【００２３】
パラフィン系炭化水素としては、常温で揮散可能であることを限度として特に制限されないが、揮散性の観点から、常圧での初留点が７０〜２８０℃、好ましくは８０〜２７０℃、更に好ましくは１００〜２７０℃のものが挙げられる。
【００２４】
また、本発明でパラフィン系炭化水素の沸点についても、揮散可能であることを限度として特に制限されないが、例えば、２０℃での蒸気圧が、好ましくは０．０１ｋＰａ以上であり、より好ましくは０．０３ｋＰａ以上であり、更に好ましくは０．０４ｋＰａ以上である。２０℃での蒸気圧の上限は３．０ｋＰａであることが好ましい。
【００２５】
本発明でパラフィン系炭化水素は、イソパラフィン系炭化水素であってもよく、またノルマルパラフィン系炭化水素であってもよい。イソパラフィン系炭化水素としては、具体的には、炭素数４〜１７、好ましくは炭素数４〜１６、更に好ましくは炭素数９〜１６の軽質流動イソパラフィンが挙げられる。ノルマルパラフィン系炭化水素としては、例えば、炭素数７〜１４程度の軽質流動ノルマルパラフィンが挙げられる。
【００２６】
これらのパラフィン系炭化水素は、１種単独で使用してもよく、また２種以上を組み合わせて使用してもよい。これらのパラフィン系炭化水素の中でも、ＰＥＴ製容器本体の脆化をより一層効果的に抑制するという観点から、好ましくはイソパラフィン系炭化水素が挙げられる。
【００２７】
炭素数１〜５の１価アルコールの種類については、特に制限されないが、例えば、メタノール、エタノール、プロパノール、イソプロパノール、ブタノール、イソブタノール、ｓｅｃ−ブタノール、ｔ−ブタノール、ペンタノール等が挙げられる。
【００２８】
これらの１価アルコールは、１種単独で使用してもよく、また２種以上を組み合わせて使用してもよい。これらの１価アルコールの中でも、ＰＥＴ製容器本体の脆化をより一層効果的に抑制するという観点から、好ましくはエタノールが挙げられる。
【００２９】
アルキレン（炭素数２〜３）グリコールモノアルキル（炭素数１〜３）エーテルとは、炭素数２〜３のアルキレングリコールに、１つの炭素数１〜３のアルキル基がエーテル結合によって結合している化合物である。アルキレン（炭素数２〜３）グリコールモノアルキル（炭素数１〜３）エーテルの種類については、特に制限されないが、具体的には、エチレングリコールモノエチルエーテル、エチレングリコールモノメチルエーテル、エチレングリコールモノプロピルエーテル、エチレングリコールモノイソプロピルエーテル等のエチレングリコールモノアルキル（炭素数１〜３）エーテル；プロピレングリコールモノエチルエーテル、プロピレングリコールモノメチルエーテル、プロピレングリコールモノプロピルエーテル、プロピレングリコールモノイソプロピルエーテル等のプロピレングリコールモノアルキル（炭素数１〜３）エーテルが挙げられる。
【００３０】
これらのアルキレン（炭素数２〜３）グリコールモノアルキル（炭素数１〜３）エーテルは、１種単独で使用してもよく、また２種以上を組み合わせて使用してもよい。これらのアルキレン（炭素数２〜３）グリコールモノアルキル（炭素数１〜３）エーテルの中でも、ＰＥＴ製容器本体の脆化をより一層効果的に抑制するという観点から、好ましくはプロピレングリコールモノアルキル（炭素数１〜３）エーテル、更に好ましくはプロピレングリコールモノメチルエーテルが挙げられる。
【００３１】
トリアルキレン（炭素数２〜３）グリコールモノアルキル（炭素数２〜４）エーテルとは、３つの炭素数２〜３のアルキレングリコールの脱水縮合物に、１つの炭素数１〜３のアルキル基がエーテル結合によって結合している化合物である。トリアルキレン（炭素数２〜３）グリコールモノアルキル（炭素数２〜４）エーテルの種類については、特に制限されないが、具体的には、トリエチレングリコールモノエチルエーテル、トリエチレングリコールモノプロピルエーテル、トリエチレングリコールモノイソプロピルエーテル、トリエチレングリコールモノブチルエーテル（トリエチレングリコールモノｎ−ブチルエーテル、トリエチレングリコールモノｔｅｒｔ−ブチルエーテル）等のトリエチレングリコールモノアルキル（炭素数２〜４）エーテル；トリプロピレングリコールモノエチルエーテル、トリプロピレングリコールモノプロピルエーテル、トリプロピレングリコールモノイソプロピルエーテル、トリプロピレングリコールモノブチルエーテル（トリプロピレングリコールモノｎ−ブチルエーテル、トリプロピレングリコールモノｔｅｒｔ−ブチルエーテル）等のトリプロピレングリコールモノアルキル（炭素数２〜４）エーテルが挙げられる。
【００３２】
これらのトリアルキレン（炭素数２〜３）グリコールモノアルキル（炭素数２〜４）エーテルは、１種単独で使用してもよく、また２種以上を組み合わせて使用してもよい。これらのトリアルキレン（炭素数２〜３）グリコールモノアルキル（炭素数２〜４）エーテルの中でも、ＰＥＴ製容器本体の脆化をより一層効果的に抑制するという観点から、好ましくはトリプロピレングリコールモノアルキル（炭素数２〜４）エーテル、更に好ましくはトリプロピレングリコールモノブチルエーテル、特に好ましくはトリプロピレングリコールモノｎ−ブチルエーテルが挙げられる。
【００３３】
本発明で使用される揮散液は、(B)成分として、パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルの中から、１種を選択して使用してもよく、２種以上を組み合わせて使用してもよい。
【００３４】
本発明で使用される揮散液において、(B)成分の好適な態様として、パラフィン系炭化水素（以下、(B-1)成分と表記することもある）と、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種（以下、(B-2)成分と表記することもある）との組み合わせが挙げられる。このように(B-1)成分と(B-2)成分を組み合わせて使用することにより、揮散性薬剤の揮散速度を良好にしつつ、ＰＥＴ製容器本体の脆化をより一層効果的に抑制することが可能になる。
【００３５】
(B)成分として(B-1)成分と(B-2)成分を組み合わせて使用する場合、これらの比率については、特に制限されないが、例えば、(B-1)成分の総量１００重量部当たり、(B-2)成分が総量で、０．１〜３０重量部、好ましくは１〜２０重量部、更に好ましくは５〜１５重量部が挙げられる。
【００３６】
本発明で使用する揮散液における(B)成分の含有量については、(A)成分の含有量等に応じて適宜設定すればよいが、例えば６０〜９７．５重量％、好ましくは７０〜９５重量％、更に好ましくは８０〜９２．５重量％が挙げられる。
【００３７】
[他の溶剤]
本発明で使用される揮散液には、本発明の効果を妨げない範囲で、前記(B)成分以外の溶剤が含まれていてもよい。このような溶剤としては、例えば、３−メトキシ−３−メチル−１−ブタノール、ヘキサノール、シクロヘキサノール、ベンジルアルコール等の炭素数６以上の１価アルコール；エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の多価アルコール；エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン等のアミン；エチレングリコールモノブチルエーテル、プロピレングリコールモノブチルエーテル等のアルキレン（炭素数１〜２）グリコールモノブチルエーテル；ジエチレングリコールモノメチルエーテル、ジエチレングリコールモノエチルエーテル、ジエチレングリコールモノプロピルエーテル、ジエチレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル等のジアルキレン（炭素数１〜２）グリコールモノアルキル（炭素数１〜４）エーテル；トリエチレングリコールメチルエーテル、トリプロピレングリコールメチルエーテル等のトリアルキレン（炭素数１〜２）グリコールモノエチルエーテル；ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン等が挙げられる。
【００３８】
これらの溶剤は、１種単独で使用してもよく、また2種以上を組み合わせて使用してもよい。
【００３９】
また、本発明で使用される揮散液に前記(B)成分以外の溶剤を含有させる場合、その含有量については、本発明の効果を妨げない範囲で適宜設定すればよい。
【００４０】
なお、炭素数６以上の１価アルコール、アルキレン（炭素数１〜２）グリコールモノブチルエーテル、ジアルキレン（炭素数１〜２）グリコールモノアルキル（炭素数１〜４）エーテル、及びジアルキレン（炭素数１〜２）グリコールジメチルエーテルについては、ＰＥＴ製容器本体の脆化を誘発する惧れがあるため、これらの溶剤を本発明で使用される揮散液に含有させる場合であれば、その含有量は比較的少量、例えば、１０重量％以下、好ましくは５重量％以下、更に好ましくは３重量％以下、特に好ましくは０重量％に設定しておくことが望ましい。
【００４１】
［その他の成分］
本発明で使用される揮散液には、前記成分以外に、本発明の効果を妨げないことを限度として、他の添加剤を含有してもよい。このような他の添加剤としては、例えば、界面活性剤、防腐剤、酸化防止剤、紫外線吸収剤、ｐＨ調整剤等が挙げられる。
【００４２】
界面活性剤としては、例えば、ポリオキシエチレン硬化ひまし油、ポリオキシエチレン硬化ひまし油エーテル、ポリオキシエチレンアルキルエーテル、ポリオキシエチレンラウリルエーテル、ポリオキシエチレンオレイルエーテル、ポリオキシエチレン脂肪酸エステル、ポリオキシエチレングリセリルエーテル脂肪酸エステル、アルキルアルカノールアミド、アルキルポリグルコシド、ソルビタン脂肪酸エステル、グリセリン脂肪酸エステル、ポリオキシエチレンソルビタン脂肪酸エステル、ポリオキシエチレンポリオキシプロピレングリコール等の非イオン性界面活性剤；アルキル硫酸塩、ポリオキシエチレンアルキルエーテル硫酸塩、スルホコハク酸塩、N-アシルアミノ酸塩、カルボン酸塩、スルホン酸、リン酸エステル等のアニオン性界面活性剤；アルキルアンモニウム塩等のカチオン性界面活性剤；アルキルアミドベタイン、アルキルジメチルアミンオキシド等の両性界面活性剤等が挙げられる。これらの界面活性剤は、１種単独で使用してもよく、また２種以上を任意に組み合わせて使用してもよい。
【００４３】
酸化防止剤としては、例えば、ジブチルヒドロキシトルエン(BHT)、ブチルヒドロキシアニソール(BHA)、アスコルビン酸塩、イソフラボン、α-トコフェロール等が挙げられる。これらの酸化防止剤は、１種単独で使用してもよく、また２種以上を組み合わせて使用してもよい。
【００４４】
紫外線吸収剤としては、例えば、ベンゾトリアゾール系（2-(3,5-di-tert-pentyl-2-hydroxyphenyl)-2H-benzotriazole）、ベンゾフェノン系（2,2 4,4 tetrahydroxybenzophenone）等が挙げられる。これらの紫外線吸収剤は、１種単独で使用してもよく、また２種以上を組み合わせて使用してもよい。
【００４５】
ｐＨ調整剤としては、例えば、モノエタノールアミン、ジイソプロパノールアミン、ジエタノールアミン、トリエタノールアミン等のアルカノールアミン；クエン酸三ナトリウム、クエン酸カリウム等のクエン酸のアルカリ金属塩；エチレンジアミン四酢酸、水酸化ナトリウム、塩基性アミノ酸（アルギニン）、炭酸カルシウムなどのカルシウム塩等が挙げられる。これらのｐＨ調整剤は、１種単独で使用してもよく、また２種以上を組み合わせて使用してもよい。
【００４６】
・保管容器
本発明の保管容器入り揮散液では、前記揮散液を収容する容器として、口部を有するＰＥＴ製容器本体と、前記口部に装着された中栓を有する容器を使用する。本発明の保管容器入り揮散液では、ＰＥＴ製容器を使用しているので、透明性が高く良好な外観を備えることができる。またＰＥＴ製容器に装着する中栓が注出口を有する場合には、収容している揮散液を揮散器の容器に移し替え易くすることもできる
【００４７】
ＰＥＴ製容器本体の大きさについては、収容する揮散液の液量等に応じて適宜設定すればよいが、例えば、内部容積として、３０〜１００ｍｌ、好ましくは５０〜８０ｍｌが挙げられる。
【００４８】
ＰＥＴ製容器本体における口部とは、容器の開口部である。当該口部の大きさについては、ＰＥＴ製容器本体の大きさ等を勘案して適宜設定すればよいが、例えば、０．５〜５ｃｍ2、好ましくは１〜３ｃｍ2が挙げられる。
【００４９】
中栓は、ＰＥＴ製容器本体の口部に装着される部材である。中栓には、収容する揮散液を容器外に注ぎ出し易くするために注出口が設けられていることが好ましい。当該注出口は、ＰＥＴ製容器本体に収容された揮散液を外部に注出（排出）する部位である。注出口を有する中栓を使用する場合、当該注出口の大きさについては、ＰＥＴ製容器本体の大きさ等を勘案して適宜設定すればよいが、例えば、０．３〜５ｍｍ2、好ましくは１〜３ｍｍ2が挙げられる。
【００５０】
中栓をＰＥＴ製容器本体の口部に装着させる機構については、ＰＥＴ製容器本体の口部の内側面及び／又は外側面の少なくとも一部と中栓の一部が線接触により固定されるようになっていてもよく、また、ＰＥＴ製容器本体の口部の内側面及び／又は外側面の少なくとも一部と中栓の一部が面接触により固定されるようになっていてもよい。線接触によってＰＥＴ製容器本体の口部に中栓が装着されている態様では、当該ＰＥＴ製容器本体の口部に付加される圧力が軽減でき、ＰＥＴ製容器本体の脆化をより一層効果的に抑制することが可能になるので好適である。
【００５１】
ここで、面接触とは、ＰＥＴ製容器本体の口部の内側面及び／又は外側面の少なくとも一部と突出部の一部が所定の幅をもった面で接触して装着されている状態を指し、線接触とは、ＰＥＴ製容器本体の口部の内側面及び／又は外側面の少なくとも一部と中栓の一部が線状に接触して装着されている状態を指す。面接触として、具体的には、ＰＥＴ製容器本体の口部と中栓の突出部が接触している面の幅方向の長さ（短辺の長さ）が２ｍｍ超、好ましくは３〜１５ｍｍであることが挙げられる。線接触として、具体的には、ＰＥＴ製容器本体の口部と中栓の突出部が接触している線状部の幅方向の長さ（線状部の太さ）が２ｍｍ以下、好ましくは０．１〜１ｍｍであることが挙げられる。
【００５２】
また、中栓の好適な一態様として、ＰＥＴ製容器本体の口部の内側面及び／又は外側面と対向する部分の内周面及び／又は外周面に突出部が設けられているものが挙げられる。当該突出部の先端が線状になっている場合、線接触によってＰＥＴ製容器本体の口部に固定することができ、また、当該突出部が面状になっている場合、面接触によってＰＥＴ製容器本体の口部に固定することができる。
【００５３】
中栓の素材については、特に制限されないが、例えば、ＰＥＴ、ポリエチレン、ポリプロピレン、ポリスチレン、アクリロニトリルブタジエンスチレン等が挙げられる。これらの中でも、好ましくはポリエチレンが挙げられる。
【００５４】
本発明で使用される保管容器は、前記ＰＥＴ製容器本体と中栓に加えて、必要に応じて、前記ＰＥＴ製容器本体と中栓を覆う蓋部を有していてもよい。当該蓋部は、ＰＥＴ製容器本体及び／又は中栓に対して、離脱可能に取り付けられていればよい。また、前記中栓が注出口を有している場合には、前記中栓に設けられている注出口を塞いで密封するための蓋部を具備させ、当該蓋部は、ＰＥＴ製容器本体及び／又は中栓に対して、離脱可能に取り付けられ、中栓に設けられている注出口を塞ぐように設けられていればよい。
【００５５】
・使用態様
本発明において保管容器に収容されている揮散液は、収容している揮散液を揮散器の容器に移し替えて使用される。但し、揮散液を収容した保管容器から、中栓を取り外し、ＰＥＴ製容器本体の口部に揮散部材を挿入して揮散器として使用することもできる。
【００５６】
・揮散液を揮散させる揮散器
本発明で使用される揮散液を揮散させる揮散器の構成については、特に制限されないが、好適な一例として、開口部を有する容器と、当該容器に収容された揮散液を吸液して揮散させる前記揮散部材とを備え、且つ前記揮散部材の少なくとも一部が前記開口部から容器外に露出するように設置されている揮散器が挙げられる。
【００５７】
揮散器の前記容器の素材については、特に制限されず、プラスチック製、ガラス製、陶器製等のいずれであってもよく、また、透明、不透明、半透明等のいずれであってもよく、揮散器に備えさせるべきインテリア性等を考慮して適宜設定すればよい。中でも、ガラス製容器は、簡便な手法で開口部を密封し難く、揮散液を収容した状態で流通させることが困難であるので、本発明において保管容器から揮散液を移し替える容器（揮散器の容器）として好適といえる。
【００５８】
揮散器の前記揮散部材の素材については、揮散液を吸液して揮散できることを限度として特に制限されないが、例えば、綿、植物繊維、パルプ等の天然繊維、ナイロン、ポリエステル、アクリル、ビニロン、ポリオレフィン（ポリプロピレン、ポリエチレン等）、ポリウレタン等の合成繊維、又はそれらの混合繊維等の繊維質材料；木片、籐、竹、ソラ等の木質材料；発泡ウレタンの樹脂製スポンジ材料等が挙げられる。揮散部材の形状については、特に制限されず、シート状、棒状、帯状、紐状等のいずれであってもよい。
【００５９】
前記揮散部材は、単一の素材によって形成されているものであってもよく、また、２種以上の素材が連結されているものであってもよい。
【００６０】
単一の素材によって形成されてなる揮散部材の場合、揮散部材は、単一の素材によって容器内の揮散液を吸上げる機能と揮散させる機能を一体として備え、揮散部材の一方の端部側が容器に収容された揮散液と直接接液するように配置される。また、揮散部材が２種以上の素材が連結されてなる揮散部材の場合、例えば、揮散部材は、容器内の揮散液を吸上げる第１部材と揮散液を揮散させる第２部材とが連結されてなり、当該第１部材が容器に収容された揮散液と直接接液するように配置される。
【００６１】
・提供態様
本発明の保管容器入り揮散液は、揮散器の構成部材となる容器及び揮散部材とセットにして提供してもよく、また、詰替用揮散液として、単独で又は揮散部材とセットにして提供してもよい。
【００６２】
２．ＰＥＴ製容器本体の脆化抑制方法
本発明は、更に、口部を有するＰＥＴ製容器本体と、前記口部に装着された中栓とを有する保管容器において、揮散液を収容した際の前記ＰＥＴ製容器本体の脆化を抑制する方法を提供する。当該方法は、具体的には、(A)揮散性薬剤と、(B)パラフィン系炭化水素、炭素数１〜５の１価アルコール、アルキレン（炭素数２〜３）グリコールモノアルキル（炭素数１〜３）エーテル、及びトリアルキレン（炭素数２〜３）グリコールモノアルキル（炭素数２〜４）エーテルよりなる群から選択される少なくとも１種の溶剤とを含む揮散液を、前記保管容器に収容することを特徴とする。当該方法の具体的態様については、前記「１．保管容器入り揮散液」の欄に記載の通りである。
【実施例】
【００６３】
以下に実施例及び比較例を示して本発明を更に詳細に説明するが、本発明はこれらに限定されない。
【００６４】
なお、以下に示す実施例及び比較例で使用した溶剤の入手元は以下の通りである。
イソパラフィン系炭化水素Ａ：商品名「Ｉｓｏｐｅｒ  Ｇ」（エクソン・モービル社製）、炭素数１０〜１２のイソパラフィン、初留点１６６℃、２０℃での蒸気圧０．１９５ｋＰａ（１．４６ｍｍＨｇ）
イソパラフィン系炭化水素Ｂ：商品名「Ｉｓｏｐｅｒ  Ｍ」（エクソン・モービル社製）、炭素数１０〜１５のイソパラフィン
プロピレングリコールメチルエーテル：商品名「ダワノールＰＭ」（ザ・ダウ・ケミカル・カンパニー社製）
トリプロピレングリコールｎ−ブチルエーテル：商品名「ダワノールＴＰｎＢ」（ザ・ダウ・ケミカル・カンパニー社製）
プロピレングリコールｎ−ブチルエーテル：商品名「ダワノールＰｎＢ」（ザ・ダウ・ケミカル・カンパニー社製）
３−メトキシ−３−メチル−１−ブタノール：商品名「ソルフィット」（株式会社クラレ製）
ジプロピレングリコールメチルエーテル：商品名「ダワノールＤＰＭ」（ザ・ダウ・ケミカル・カンパニー社製）
ジプロピレングリコールジメチルエーテル：商品名「プログライドＤＭＭ」（ザ・ダウ・ケミカル・カンパニー社製）
【００６５】
参考試験例１
表１に示す組成の香料液７０ｍｌを下記容器本体に収容して口部に中栓を挿入した後に蓋を閉めて密封し、３０℃、相対湿度８５％ＲＨの環境下で、容器を横向きにした状態で７日間静置した。
＜保管容器の構成＞
容器本体：
・ＰＥＴ製
・内部容積８０ｍｌ
・口部：直径１７．５ｍｍの円状
中栓：
・ポリエチレン製
・注出部：中心部に直径１．６ｍｍの孔が１つ設けられている。
・容器本体の口部に挿入される部分は、面接触によって容器本体の口部に固定されるように構成されている。容器本体の口部の内側に挿入され固定される。
蓋部：
・容器本体の口部周辺の外側とネジ嵌合によって容器を密封できる蓋部
【００６６】
７日間静置後の保管容器から中栓を外して、ＰＥＴ製容器本体の口部の外観を観察し、下記判定基準に従って、当該口部の脆化の程度を評価した。
＜ＰＥＴ製容器本体の口部の脆化の判定基準＞
◎：クレーズ（白い変色）及びクラック（割れ）が発生しておらず、安定な形状を維持できている。
○：少数のクレーズは発生しているが、クラックは発生していない。
△：クラックの発生があるが、液モレにつながっていない。
×：クラックの発生があり、液モレにつながっている。
【００６７】
結果を表１に示す。この結果、中栓を装着したＰＥＴ製容器本体は、一般的な香料液を収容すると、経時的に脆化し、クラックが発生することが明らかとなった。なお、中栓を使用せずに前記と同条件で試験を行ったところ、ＰＥＴ製容器本体の脆化は認められなかった。
【表１】
2018175153.tif 000002
【００６８】
参考試験例２
参考試験例１においてＰＥＴ製容器本体の脆化の原因を解明するために、溶剤に着目して以下の試験を行った。
【００６９】
参考試験例１で使用した保管容器に表２に示す溶剤７０ｍｌを収容して蓋を閉めて密封し、３０℃、相対湿度８５％ＲＨの環境下で７日間静置した。７日間静置後に、保管容器の口部の脆化の程度を参考試験例１と同様の方法で評価した。
【００７０】
結果を表２に示す。香料液で汎用されているプロピレングリコールｎ−ブチルエーテル、３−メトキシ−３−メチル−１−ブタノール、ジプロピレングリコールメチルエーテル、及びジプロピレングリコールジメチルエーテルでは、ＰＥＴ製容器本体の脆化が認められた。これに対して、パラフィン系炭化水素、エタノール、プロピレングリコールモノメチルエーテル、及びトリプロピレングリコールｎ−ブチルエーテルでは、ＰＥＴ製容器本体の脆化は認められなかった。
【００７１】
【表２】
2018175153.tif 000003
【００７２】
試験例１
参考試験例２において、パラフィン系炭化水素、エタノール、プロピレングリコールモノメチルエーテル、及びトリプロピレングリコールｎ−ブチルエーテルでは、ＰＥＴ製容器本体の脆化を抑制できていた。そこで、これらの溶剤を配合した香料液が、ＰＥＴ製容器本体の脆化を抑制できるかについて検討するために、以下の試験を行った。
【００７３】
参考試験例１で使用した保管容器に表３に示す香料液７０ｍｌを収容して蓋を閉めて密封し、３０℃、相対湿度８５％ＲＨの環境下で７日間静置した。７日間静置後に、保管容器の口部の脆化の程度を参考試験例１と同様の方法で評価した。
【００７４】
結果を表３に示す。パラフィン系炭化水素、エタノール、プロピレングリコールモノメチルエーテル、及びトリプロピレングリコールｎ−ブチルエーテルを含む香料液では、ＰＥＴ製容器本体の脆化を抑制できることが確認された。
【００７５】
また、中栓を、容器本体の口部に挿入される部分に線状の突出部が設けられ、当該突出部が線接触して容器本体の口部に装着される構造のものに変更して前記試験を行ったところ、実施例５の香料液でも、脆化の判定結果が「◎」になることが確認された。即ち、線接触によって容器本体の口部に装着される中栓を使用することによって、ＰＥＴ製容器本体の脆化をより一層効果的に抑制できることが明らかとなった。
【００７６】
【表３】
2018175153.tif 000004